(57)【特許請求の範囲】
【請求項１】
改修作業前から存在していた枠組み体を残し、この枠組み体の内側に形成された開口部から枠組み体厚さ方向にずれた位置に、この開口部を覆う大きさを有する開閉体を備えた改修用開閉装置を取り付ける改修用開閉装置の取付方法であって、
前記改修用開閉装置は引戸装置であるとともに、この引戸装置の前記開閉体となっている引戸本体は、この引戸本体に設けられたローラがガイドレールの係合部に係合し、このガイドレールから吊り下げられて案内される上吊り式引戸本体であり、
前記ガイドレールは上下方向の長さを有する基部と、この基部の下端から前記引戸本体の厚さ方向に延びるアーム部と、このアーム部の先端に立ち上がって設けられた前記係合部とを有し、
前記改修作業のために、前記ガイドレールを、このガイドレールの前記基部の一部を、前記枠組み体の構成部材となっていて、前記ガイドレールの長さ方向に延びる長さを有している上枠部材の前記引戸本体と対面する側面に接触させて配置する第１の作業と、前記ローラを前記ガイドレールの前記係合部に係合させる第２の作業と、を行うことを特徴とする改修用開閉装置の取付方法。
【請求項２】
請求項１に記載の改修用開閉装置の取付方法において、前記第１の作業を、前記ガイドレールの前記アーム部の位置を、前記上枠部材の上下寸法の範囲内の位置にして行うことを特徴とする改修用開閉装置の取付方法。
【請求項３】
請求項２に記載の改修用開閉装置の取付方法において、前記第１の作業を、前記ガイドレールの前記基部における前記一部を除く部分を、前記枠組み体が設けられている壁に取り付けて行うことを特徴とする改修用開閉装置の取付方法。
【請求項４】
請求項２に記載の改修用開閉装置の取付方法において、前記第１の作業を、前記ガイドレールの前記基部における前記一部を、前記上枠部材の前記側面に結合することにより行うことを特徴とする改修用開閉装置の取付方法。
【請求項５】
請求項１〜４のいずれかに記載の改修用開閉装置の取付方法において、前記引戸本体の移動は、戸先側の縦枠部材と戸尻側の縦枠部材との間で行われ、
前記改修作業のために、前記戸先側の縦枠部材を、前記枠組み体における戸先側の構成部材となっている側枠部材から前記引戸本体の閉じ方向にずれた位置において、前記枠組み体が設けられている壁に取り付ける作業を行うことを特徴とする改修用開閉装置の取付方法。
【請求項６】
請求項５に記載の改修用開閉装置の取付方法において、前記側枠部材は、前記壁の表面からこの壁の厚さ方向に突出していることを特徴とする改修用開閉装置の取付方法。
【請求項７】
請求項１〜６のいずれかに記載の改修用開閉装置の取付方法において、前記引戸装置は、前記ガイドレールが内部に配置されるカバーを有し、このカバーは、前記枠組み体が設けられている壁の側の背面の部分と、下面の部分とが開口した断面逆Ｌ字形状となっており、
前記改修作業のために、前記カバーを前記壁に取り外し可能に取り付ける作業を行うことを特徴とする改修用開閉装置の取付方法。
【請求項８】
改修作業前から存在していた枠組み体と、改修作業後にこの枠組み体の内側の開口部から枠組み体厚さ方向にずれた位置でこの開口部を開閉するように配置された開閉体とを含んで構成されている改修された開閉装置であって、
前開閉体は引戸装置の引戸本体であるとともに、この引戸本体は、この引戸本体に設けられたローラがガイドレールの係合部に係合し、このガイドレールから吊り下げられて案内される上吊り式引戸本体であり、
前記ガイドレールは上下方向の長さを有する基部と、この基部の下端から前記引戸本体の厚さ方向に延びるアーム部と、このアーム部の先端に立ち上がって設けられた前記係合部とを有し、
前記ガイドレールが、このガイドレールの前記基部の一部が、前記枠組み体の構成部材となっていて、前記ガイドレールの長さ方向に延びる長さを有している上枠部材の前記引戸本体と対面する側面に接触して配置されていることを特徴とする改修された開閉装置。
【請求項９】
請求項８に記載の改修された開閉装置において、前記ガイドレールの前記アーム部の位置は、前記上枠部材の上下寸法の範囲内の位置になっていることを特徴とする改修された開閉装置。
【請求項１０】
請求項９に記載の改修された開閉装置において、前記ガイドレールの前記基部における前記一部を除く部分が、前記枠組み体が設けられている壁に取り付けられていることを特徴とする改修された開閉装置。
【請求項１１】
請求項９に記載の改修された開閉装置において、前記ガイドレールの前記基部における前記一部が、前記上枠部材の前記側面に結合されていることを特徴とする改修された開閉装置。
【請求項１２】
請求項８〜１１のいずれかに記載の改修された開閉装置において、前記引戸本体の移動は、戸先側の縦枠部材と戸尻側の縦枠部材との間で行われ、
前記戸先側の縦枠部材が、前記枠組み体における戸先側の構成部材となっている側枠部材から前記引戸本体の閉じ方向にずれた位置において、前記枠組み体が設けられている壁に取り付けられていることを特徴とする改修された開閉装置。
【請求項１３】
請求項１２に記載の改修された開閉装置において、前記側枠部材は、前記壁の表面からこの壁の厚さ方向に突出していることを特徴とする改修された開閉装置。
【請求項１４】
請求項８〜１３のいずれかに記載の改修された開閉装置において、前記引戸装置は、前記ガイドレールが内部に配置されるカバーを有し、このカバーは、前記枠組み体が設けられている壁の側の背面の部分と、下面の部分とが開口した断面逆Ｌ字形状となっており、
前記カバーが前記壁に取り外し可能に取り付けられていることを特徴とする改修された開閉装置。
【発明の詳細な説明】
【０００１】
【発明の属する技術分野】
本発明は、改修用開閉装置の取付方向及び改修された開閉装置に係り、例えば、建物内の改修作業（リフォーム作業）のためにそれまでとは別種類の開閉装置を設置する場合や、それまで開閉装置がなかった箇所に開閉装置を設置する場合に利用できるものである。
【０００２】
【背景技術】
近年、建物内空間や建物外周面の質的向上を図るため、あるいは建物内空間や建物外周面を別用途で使用できるようにする等の目的で、建物内や建物外面を改修することが多く行われるようになってきている。この改修作業において、それまでとは別種類の開閉装置を設置しなければならないことや、それまで開閉装置がなかった箇所に新たに開閉装置を設置しなければならないことがある。
【０００３】
従来、それまでとは別種類の開閉装置を設置する場合には、前の開閉装置のために壁等に設けられていた開口部用枠組み体を取り外し、この後、新たな開閉装置のための開口部用枠組み体を壁等に設ける作業が行われ、また、それまで開閉装置がなかった箇所に新たに開閉装置を設置する場合には、壁等にこの開閉装置のための開口部用枠組み体を新たに設ける作業が行われていた。
【０００４】
【発明が解決しようとする課題】
このような従来技術によると、改修作業を開口部用枠組み体の設置作業から始めなければならず、このため、改修作業が全体的に大掛かりかつ複雑となり、また、コストがかかり、工期が長くなるという問題があった。
【０００５】
本発明の目的は、改修作業を容易に行えるようになる改修用開閉装置の取付方法及び改修された開閉装置を提供するところにある。
【０００６】
【課題を解決するための手段】
本発明に係る改修用開閉装置の取付方法は、改修作業前から存在していた枠組み体を残し、この枠組み体の内側に形成された開口部から枠組み体厚さ方向にずれた位置に、この開口部を覆う大きさを有する開閉体を備えた改修用開閉装置を取り付けることを特徴とするものである。
【０００７】
この改修用開閉装置の取付方法によると、改修作業前から存在していた枠組み体は残され、この枠組み体の内側に形成された開口部を改修用開閉装置の開閉体で開閉するため、既存の枠組み体の再利用を図ることができ、これにより、改修作業の容易化、コストの低減、工期の短縮を実現できる。
【０００８】
また、改修用開閉装置は、枠組み体の内側の開口部から枠組み体厚さ方向にずれた位置に取り付けられ、この開閉装置の開閉体は開口部を覆う大きさを有しているため、既存の枠組み体を残して再利用を図っても、枠組み体の内側の開口部を開閉体で所定どおり開閉できることになる。
【０００９】
この改修用開閉装置の取付方法において、改修作業前の枠組み体の内側の形式、構造等は任意である。すなわち、改修作業前の枠組み体の内側にも開口部が形成されており、この開口部が改修用開閉装置とは別種類の開閉装置の開閉体で開閉されるものとなっていてもよく、改修作業前の枠組み体の内側にも開口部が形成されており、この開口部は常時開口していて開閉装置の開閉体で開閉されるものとはなっていなくてもよく、改修作業前の枠組み体の内側には遮断部材が配置されており、この遮断部材によって枠組み体の内側は開口部になっていなくてもよい。なお、ここでいう遮断部材には、パネル、ガラリ、ルーバー、嵌め殺し式のガラス等が含まれる。
【００１０】
したがって、本発明に係る改修用開閉装置の取付方法は、各種の用途で使用されていた枠組み体について適用でき、この枠組み体は、コンクリート等による固定型の壁、天井、床、柱等に設けられていてもよく、パネル等からなる簡易固定式の壁、天井、床、柱等又は移動式間仕切り壁、天井、床、柱等を含む簡易移動式の壁、天井、床、柱等に設けられていてもよい。
【００１１】
また、改修作業前の枠組み体の内側にも開口部が形成されており、この開口部が改修用開閉装置とは別種類の開閉装置の開閉体で開閉されるものとなっている場合において、改修作業前の開閉装置は、開き戸装置でもよく、引戸装置でもよく、折れ戸装置でもよく、シャッター装置でもよく、雨戸装置でもよく、サッシの障子装置、バランスドア装置等でもよい。また、改修作業後の開閉装置は、引戸装置でもよく、開き戸装置でもよく、シャッター装置でもよく、雨戸装置でもよく、サッシの障子装置でもよく、折れ戸装置、バランスドア装置等でもよい。そして、これらの開閉装置は、手動式のものでもよく、自動式のものでもよく、両者併用式のものでもよい。
【００１２】
本発明に係る改修された開閉装置は、改修作業前から存在していた枠組み体と、改修後にこの枠組み体の内側の開口部から枠組み体厚さ方向にずれた位置でこの開口部を開閉するように配置された開閉体とを含んで構成されたことを特徴とするものである。
【００１３】
この改修された開閉装置でも、改修作業前から存在していた枠組み体は使用され、この枠組み体の内側に形成された開口部が改修用開閉装置の開閉体で開閉されるため、既存の枠組み体の再利用が図られ、改修作業の簡単化、コストの低減、工期の短縮を実現できる。
【００１４】
また、改修された開閉装置の開閉体は、枠組み体の内側の開口部から枠組み体厚さ方向にずれた位置でこの開口部を開閉するため、既存の枠組み体を残しても、この枠組み体による開口部を開閉体で所定どおり開閉できることになる。
【００１５】
この改修された開閉装置においても、改修作業前の枠組み体の内側の形式、構造等は任意であり、改修作業前の枠組み体の内側にも開口部が形成されており、この開口部が改修用開閉装置とは別種類の開閉装置の開閉体で開閉されるものとなっていてもよく、改修作業前の枠組み体の内側にも開口部が形成されており、この開口部は常時開口していて開閉装置の開閉体で開閉されるものとはなっていなくてもよく、改修作業前の枠組み体の内側には遮断部材が配置されており、この遮断部材によって枠組み体の内側は開口部になっていなくてもよい。なお、ここでいう遮断部材には、パネル、ガラリ、ルーバー、嵌め殺し式のガラス等が含まれる。
【００１６】
また、本発明に係る改修された開閉装置は、上述の改修用開閉装置の取付方法と同じく、各種の用途で使用されていた枠組み体について適用でき、この枠組み体は、コンクリート等による固定型の壁、天井、床、柱等に設けられていてもよく、パネル等からなる簡易固定式の壁、天井、床、柱等又は移動式間仕切り壁、天井、床、柱等を含む簡易移動式の壁、天井、床、柱等に設けられていてもよい。
【００１７】
さらに、上述の改修用開閉装置の取付方法と同じく、改修作業前の枠組み体の内側にも開口部が形成されており、この開口部が改修用開閉装置とは別種類の開閉装置の開閉体で開閉されるものとなっている場合においては、改修前の開閉装置は、開き戸装置でもよく、引戸装置でもよく、折れ戸装置でもよく、シャッター装置でもよく、雨戸装置でもよく、サッシの障子装置、バランスドア装置等でもよい。また、改修後の開閉装置は、引戸装置でもよく、開き戸装置でもよく、シャッター装置でもよく、雨戸装置でもよく、サッシの障子装置でもよく、折れ戸装置、バランスドア装置等でもよい。これらの開閉装置は、手動式のものでもよく、自動式のものでもよく、両者併用式のものでもよい。
【００１８】
以上の改修された開閉装置において、改修作業前の枠組み体に存在していた部材が改修作業後に取り除かれていてもよい。すなわち、改修用開閉装置では不用となっている部材が枠組み体に存在していた場合には、この部材は、改修作業後の枠組み体から取り除かれていてもよい。
【００１９】
その一例は、改修作業前の枠組み体の内側が開口部となっており、この開口部が開き戸装置の蝶番やヒンジを含む回動中心部材を中心に回動する開き戸本体で開閉され、改修作業後の開口部が引戸装置の引戸本体で開閉される場合には、枠組み体から取り外される部材を、前記回動中心部材とすることである。その他、枠組み体から取り外される部材は、例えば、開き戸装置を枠組み体に取り付けるために枠組み体に設けられていた補強部材や、開口部に対する開き戸本体の閉じ限位置を規定するためや閉じ衝撃を緩衝するため等の目的で枠組み体に設けられていた戸当たり部材、さらにはドアクローザー等でもよく、改修作業前の開閉装置や改修作業後の開閉装置の種類等に応じて任意な部材でよい。
【００２０】
なお、改修用開閉装置では不用な部材であっても、構造上や外観上等において支障がない部材であれば、取り除かずに残しておいてもよい。
【００２１】
また、以上の改修された開閉装置において、改修作業後の枠組み体には改修作業前に存在していなかった部材が取り付けられていてもよい。すなわち、改修用開閉装置に必要となる部材が改修作業前の枠組み体に設けられていなかった場合には、その部材を改修作業後の枠組み体に取り付けてもよい。
【００２２】
その一例は、改修作業後の開閉体が引戸装置の引戸本体であり、改修作業前の枠組み体には凹凸部がある場合には、改修作業後の枠組み体に取り付けられる部材を、この凹凸部を平坦とする枠組み体補助部材とすることである。また、他の例は、改修作業後の開閉体が引戸装置の引戸本体である場合には、改修作業後の枠組み体に取り付けられる部材を、この枠組み体と、この枠組み体の内側の開口部を閉じたときの引戸本体との間の隙間を少なくする又はなくすための隙間対策部材とすることである。その他、改修作業前の枠組み体に前記戸当たり部材を挿入する孔や溝等が形成されていた場合には、改修作業後の枠組み体に取り付ける部材をこの孔や溝等を塞ぐシール部材としてもよく、これと同様に、改修作業前の枠組み体に、開き戸装置の開き戸本体用の蝶番やヒンジを含む回動中心部材を固定するためのビス等の止着具を挿入する孔が形成されていたときは、改修作業後の枠組み体に取り付ける部材をこの孔を塞ぐシール部材としてもよく、改修作業前の枠組み体の状態や改修用開閉装置の種類等に応じて、改修作業後の枠組み体に取り付けられている部材を任意に定めることができる。
【００２３】
また、改修作業後の開閉装置を引戸装置とする場合には、この引戸装置は、引戸本体がこの引戸本体よりも少なくとも一部が上部に配置されたガイド部材から吊り下げられて案内される上吊り式引戸本体となっているタイプのものでもよく、引戸本体がこの引戸本体よりも下部の床等に敷設されたガイド部材で案内される下部案内式の引戸本体となっているタイプのものでもよく、これら両方のガイド部材で案内される両ガイド部材式の引戸本体になっているタイプでもよい。
【００２４】
これらのうちの最初の引戸装置においては、ガイド部材を、改修作業後も残される枠組み体に取り付けてもよく、この枠組み体が設けられている壁に改修作業後に設けられている補強部材によって取り付けてもよい。
【００２５】
そして、このガイド部材はガイドレールでもよく、スライディングレールでもよい。
【００２６】
また、引戸本体は閉じ側又は開き側又はこれら両方へ自動的に移動するようになっていてもよい。引戸本体の移動が自動的になされる構造は、例えば、ガイド部材が下り傾斜に固定的に又は可変に配置され、この下り傾斜の方向へ引戸本体を自動的に移動させるようになっているものでもよい。この場合におけるガイド部材は、引戸本体の移動方向へ連続した１本のものでもよく、途中で分割されて複数本となったものでもよい。
【００２７】
また、引戸本体の自動的な移動が駆動装置でなされる場合においては、この駆動装置は、蓄圧されたばね力によって引戸本体を引っ張り移動させる渦巻きばね式のものでもよく、シリンダで引戸本体を移動させるシリンダ式のものでもよく、モータで回転するピニオンで引戸本体を移動させるモータ・ピニオン式のものでもよく、モータで回転するベルトやチェーン等の無端回転部材で引戸本体を移動させるモータ・無端回転部材式のものでもよく、電磁石の吸引力、反発力で引戸本体を移動させるリニアモータ式のもの等でもよい。
【００２８】
また、引戸本体が上吊り式引戸本体になっている場合と下部案内式引戸本体になっている場合の両方及び前記両ガイド部材式になっている場合において、引戸装置には、開口部を開いた引戸本体が収納される戸袋が設けられていてもよく、設けられていなくてもよい。
【００２９】
また、以上の本発明に係る改修用開閉装置の取付方法及び改修された開閉装置において、枠組み体は、例えば、上枠部材と下枠部材と左右の側枠部材とからなる四方枠でもよく、下枠部材がない三方枠でもよく、枠組み体を形成する枠部材の個数及びその配置位置等は任意である。
【００３０】
また、以上の本発明において、改修後の開閉装置が引戸装置である場合には、開口部を開閉する引戸本体は１個でもよく、引き分け式又は引き違い式等となった複数個でもよい。
【００３１】
【発明の実施の形態】
以下に本発明の実施形態を添付図面に基づいて説明する。図１〜図３は改修作業前を示しており、図１は、建物のコンクリート製の壁１、及びこの壁１に設けられている枠組み体２の内側の出入口用開口部７を開閉するために設置された開き戸装置８の全体を示す正面図で、図２は、図１のＳ２−Ｓ２線断面図、図３は、図１のＳ３−Ｓ３線断面図である。
【００３２】
開き戸装置８の開き戸本体９は回動中心部材であるヒンジ１０で開口部７に対して開閉自在に枠組み体２に取り付けられている。開口部７の外周を形成する枠組み体２は、上枠部材３と、下枠部材４と、左右の側枠部材５，６とからなる四方枠であり、これらの枠部材３〜６には、図２と図３で示されているように、開口部７を閉じたときの開き戸本体１０が入り込むための段欠部３Ａ〜６Ａが形成されている。このため、開口部７の外周面を形成しているこれらの枠部材３〜６の内側面部は凹凸面部となっている。また、図２に示されているように、側枠部材６には、開口部７を閉じたときの開き戸本体９が当たって開き戸本体９の閉じ限位置を規定するための当たり部材１１が、側枠部材６の孔６Ｂへの挿入によって取り付けられている。
【００３３】
図４及び図５は、開き戸本体９を取り外すことによって行う改修作業中における枠組み体２を示しており、図４は図２に対応する図、図５は図３に対応する図である。この改修作業中において、図４に示すとおり、戸当たり部材１１を側枠部材６の孔６Ｂから抜き取り、この孔６Ｂを薄いシート状のシール部材１２で塞ぐ。また、側枠部材５に、開き戸本体９と共に取り外したヒンジ１０をこの側枠部材５に結合していたビス等の止着具を挿入していた孔があれば、この孔もシール部材で塞ぐ。
【００３４】
図６〜図８は、改修用引戸装置２０の取り付けを行って改修作業が終了した状態を示す。図６は、建物の壁１及び改修用引戸装置２０の全体を示す正面であり、図７は、図６のＳ７−Ｓ７線断面図、図８は、図６のＳ８−Ｓ８線断面図である。
【００３５】
改修作業は、改修作業前から壁１に設けられていた枠組み体２を残して行われ、改修作業後の開口部７は、図７及び図８で示されているように、開口部７から枠組み体２の厚さ方向にずれた位置に設置された引戸装置２０の引戸本体２１で開閉されるため、枠部材３〜６の内側面部には、枠組み体２の補助部材である枠補助部材１３〜１６がビス等の止着具１７で止着される。これにより、引戸装置２０では不用な枠部材３〜６の段欠部３Ａ〜６Ａは外観上なくなり、枠部材３〜６の上記凹凸面部は平坦面部となっている。
【００３６】
また、改修作業は壁１に引戸装置２０を取り付けることにより行われ、次ぎに、この引戸装置２０の全体構造及び作用を初めに説明しておく。
【００３７】
引戸装置２０の引戸本体２１は把持部２１Ａを把持することにより図６中において左右動させることができ、引戸本体２１の左右動は戸先側の縦枠部材２２と戸尻側の縦枠部材２３との間で行われ、これにより、開口部７を覆う大きさとなっている引戸本体２１は開口部７を開閉する。引戸本体２１の上部には、引戸本体２１が左右動する領域に亘る長さとなっているカバー２４が配置され、着脱自在となっているこのカバー２４の内部には、このカバー２４を取り外した状態の図９及び図１０で示すとおり、引戸本体２１を移動させるための移動機構が収納され、カバー２４を取り外すことにより、この移動機構の点検、修理等のメインテナンス作業を行えるようになっている。
【００３８】
図９は、この移動機構によって引戸本体２１が閉じ限位置に達しているときを示し、図１０は、引戸本体２１が開き限位置に達しているときを示す。これらの図面で示すとおり、引戸本体２１の上部にはカバー２４と略同じ長さのガイドレール２５が組み込まれ、引戸本体２１の移動を案内するガイド部材になっているこのガイドレール２５は、図８に示すように、ガイドレール２５の長さ方向に複数個設けられている取付部材２６を介して前記枠組み体２の上部において壁１に取り付けられている。それぞれの取付部材２６は、引戸本体２１の移動方向である幅方向の途中部を引戸本体２１側へ突出させたハット形状となっている板金の折り曲げ品であり、その突出部にガイドレール２５がビス等の止着具２７で止められ、取付部材２６の他の箇所がアンカー部材２８で壁１に結合されている。
【００３９】
長さ方向に同一断面形状が連続しているガイドレール２５は、取付部材２６で壁１に結合された基部２５Ａと、この基部２５Ａの下端から引戸本体２１の厚さ方向に水平に延びるアーム部２５Ｂと、このアーム部２５Ｂの先端から垂直に立ち上がった係合部２５Ｃとを有する。
【００４０】
図９及び図１０で示すように、引戸本体２１には、ローラブラケット２９，３０に回転自在に取り付けられた２個のローラ３１，３２が引戸本体２１の移動方向に配設され、ローラブラケット２９，３０を介して引戸本体２１の上部に配置されているこれらのローラ３１，３２は、図８に示すように、引戸本体２１の上部に不動部材となって水平に架設されてガイドレール２５の係合部２５Ｃに係合している。このため、引戸本体２１は、ローラ３１，３２が係合部２５Ｃ上を転動することによりガイドレール２５に沿って移動するとともに、引戸本体２１は、ガイドレール２５の係合部１０Ｃに係合したローラ３１，３２に吊り下げられた上吊り式となっている。
【００４１】
また、図６及び図８に示すように、前記枠組み体２の下枠部材４が配置されている床３３には、枠組み体２の近くおいて、垂直軸を中心に回転自在となったガイドローラ３４が配置され、このガイドローラ３４は、引戸本体２１の下端に下向きに開口して設けられたチャンネル部材２１Ｂの内部に挿入されており、ガイドレール２５に沿った引戸本体２１の移動は、引戸本体２１の下端がこのガイドローラ３４に案内されながらなされる。
【００４２】
図９に示されているように、ガイドレール２５の引戸本体開き側の端部には、引戸本体２１を開き限位置に停止させるためのストップ装置３５が取り付けられ、このストップ装置３５は、引戸本体閉じ側に向けて本体３６に突設されたゴム等の弾性材料からなるストップ部材３７と、本体３６に取り付けられ、板ばねの折り曲げで形成されている係止部材３８とを有する。一方、引戸本体２１に設けられている２個のローラブラケット２９，３０のうち、引戸本体開き側のローラブラケット３０の後端には板状の受け部材３９が結合され、この受け部材３９には小径ローラによる被係止部材４０が取り付けられている。
【００４３】
引戸本体２１を前記把持部２１Ａで開き側に移動させ、この移動が開き限位置に達すると、図１０に示されているように、被係止部材４０は、一旦上向きに湾曲変形してもとの形状に弾性復帰する係止部材３８に係止されるとともに、受け部材３９はストップ部材３７に当接し、係止部材３８が被係止部材４０を係止することにより、引戸本体２１は開き限位置に停止する。
【００４４】
また、引戸本体２１の把持部２１Ａに引戸本体閉じ側への操作力を作用させた場合には、被係止部材４０は上向きに弾性変形する係止部材３８から離脱するため、引戸本体２１は、ガイドレール２５とガイドローラ３４に案内されて閉じ側へ移動する。
【００４５】
また、図９及び図１０に示されているように、ガイドレール２５の引戸本体閉じ側の端部には、引戸本体２１を閉じ移動させるための駆動装置４１が配置され、この駆動装置４１は、図１０で示されているとおり、ブラケット４２がガイドレール２５に取り付けられることにより、ガイドレール２５に組み付けられている。駆動装置４１はケーシング４１Ａ内に回転自在に収納されたリール４３を有し、このリール４３の内部には渦巻きばねが配置され、この渦巻きばねの一端はリール４３に結合されているとともに、他端はケーシング４１Ａに結合されている。また、リール４３には、図９及び図１０で示されているナイロン紐又はワイヤー等からなる紐状部材４４の一端が結合され、この紐状部材４４はケーシング４１Ａから導出され、紐状部材４４の他端は、引戸本体２１に２個設けられているローラブラケット２９，３０のうちの引戸本体閉じ側のローラブラケット２９に結合されている。
【００４６】
図９で示すように閉じ限位置に達している引戸本体２１を把持部２１Ａで図１０で示すように開き側へ移動させたときには、紐状部材４４がリール４３を回転させながら駆動装置４１から繰り出され、このとき、リール４３の内部の上記渦巻きばねがリール４３を回転で蓄圧されるようになっている。このため、この後に把持部２１Ａから手を離すと（引戸本体２１が図１０のように閉じ限位置に達しているときには、前述のように、把持部２１Ａに操作力を作用させて被係止部材４０を係止部材３８から離脱させると）、渦巻きばねの蓄圧力によってリール４３には、引戸本体２１の開き移動時とは逆方向へリール４３を回転させようとする回転力が生じているため、この回転力で緊張している紐状部材４４の引張力によって引戸本体２１は閉じ側へ引っ張られ、閉じ限位置まで自動的に移動する。
【００４７】
したがって、本実施形態における引戸本体２１を閉じ側へ自動的に移動させるための駆動装置４１は渦巻きばね式であるとともに、紐状部材４４の引張力による引張式駆動装置となっており、リール４３と渦巻きばねとによって、不動部材であるガイドレール２５に取り付けられていて、紐状部材４４に引張力を付与するための引張力付与手段４５が構成されている。
【００４８】
図９及び図１０に示すように、ガイドレール２５には、閉じ側への引戸本体２１の移動速度を低速化させて制動させ、引戸本体２１を閉じ限位置に減速させて到達させるための制動装置４６が取り付けられている。この制動装置４６は、シリンダ本体４７と、シリンダ本体４７にガイドレール２５の長さ方向に伸縮自在に挿入されたピストンロッド４８とを有するシリンダ装置で構成され、シリンダ本体４７は、不動部材となっているガイドレール２５に取り付けられている。
【００４９】
引戸本体２１に２個設けられているローラブラケット２９，３０のうち、引戸本体開き側のローラブラケット３０には、ピストンロッド４８の先端部が挿抜自在となったキャッチ部材４９が取り付けられ、ピストンロッド４８の先端部と、この先端部が挿入されるキャッチ部材４９の内部とのうち、一方には磁石が設けられ、他方にはこの磁石に吸着する磁性材料が設けられている。このため、ピストンロッド４８とキャッチ部材４９とは、磁力で接続分離自在となっている。
【００５０】
図９に示すように引戸本体２１が閉じ限位置に達しているときには、シリンダ本体４７に対して収縮しているピストンロッド４８の先端部がキャッチ部材４９の内部に挿入された状態になっており、引戸本体２１を開き側へ移動させると、ピストンロッド４８の先端部とキャッチ部材４９とが上記磁力で接続されているため、ピストンロッド４８はシリンダ本体４７に対して伸び作動する。このピストンロッド４８が伸び作動限に達してもさらに引戸本体２１が開き側に移動すると、図１０に示すように、ピストンロッド４８とキャッチ部材４９とが分離し、ピストンロッド４８はその位置で停止する。また、引戸本体２１が前記引張式駆動装置４１の駆動力で閉じ側へ移動し始め、そして引戸本体２１が所定位置に達すると、キャッチ部材４９はピストンロッド４８に当接してこれらのキャッチ部材４９とピストンロッド４８とが上記磁力で再度接続され、引戸本体２１がさらに閉じ側へ移動することにより、ピストンロッド４８はシリンダ本体４７に対して収縮作動する。
【００５１】
なお、ピストンロッド４８の先端部と、この先端部が挿入されるキャッチ部材４９の内部とに互いに磁性が逆となった磁石を設けることにより、ピストンロッド４８とキャッチ部材４９とを上記と同様に接続分離自在としてよい。
【００５２】
シリンダ本体４７には、ピストンロッド４８が伸び作動したときに多量のエアをシリンダ本体４７の内部に吸引し、ピストンロッド４８が収縮作動したときにはこのエアを絞りながら排出するバルブが設けられている。このため、ピストンロッド４８が伸び作動する引戸本体２１の開き移動時には、引戸本体２１を軽く移動させることができ、また、ピストンロッド４８が収縮作動する引戸本体２１の閉じ移動時には、引戸本体２１がシリンダ本体４７の内部のエア圧力によって制動されながら移動し、減速された速度で閉じ限位置に達するようになっている。
【００５３】
このため、本実施形態における制動装置４６は、シリンダ装置による流体圧力式制動装置となっている。
【００５４】
以上説明したストップ装置３５と駆動装置４１と制動装置４６はガイドレール２５に取り付けられるものとなっているため、これらの装置３５，４１，４６を引戸装置２０の各部品が生産される工場で予めガイドレール２５に取り付けることにより、ガイドレール２５とストップ装置３５と駆動装置４１と制動装置４６とで構成された構造体をユニット化されたユニット構造体として引戸装置２０の施工現場に搬送することができ、施工現場での作業をそれだけ簡単化することができる。
【００５５】
図８に示すように、前記カバー２４は、壁１にアンカー部材５０で結合されたブラケット５１にビス等の止着具５２で取り付けられ、この止着具５２を取り外すことによりカバー２５の取り外しを行え、これにより、前述したように、カバー２４内に配置されている前記移動機構のメインテナンス作業を行える。
【００５６】
以上説明した改修用引戸装置２０を壁１に取り付ける改修作業は、図７で示した縦枠部材２２，２３を配置する位置においてブラケット５３，５４をアンカー部材５５で壁１に結合し、これらのブラケット５３，５４にビス等の止着具５６で縦枠部材２２，２３を取り付けること、ガイドレール２５を図８で示した取付部材２６を介して壁１に取り付けること、ガイドレール２５に引戸本体２１のローラ３１，３２を係合すること、壁１に結合したブラケット５１に止着具５２でカバー２４を取り付けること等を行うことにより、実施される。
【００５７】
この実施形態によると、改修作業前の開き戸装置８で使用されていて、開口部７の外周部を形成していた枠組み体２は壁１に残され、改修作業後の引戸装置２０は開口部７から枠組み体２の厚さ方向にずれた位置に配置され、開口部７を覆う大きさとなっている引戸本体２１が開口部７を開閉する構造となっているため、既存の枠組み体２が、改修用引戸装置２０の一部となっている開口部用枠組み体として再利用されることになり、この枠組み体２を壁１から取り外して引戸装置２０のための新たな枠組み体を壁１に取り付ける作業を行う必要がない。このため、改修作業が容易となり、またコストの低減、工期の短縮を達成できる。
【００５８】
また、改修作業後の枠組み体２からは、改修作業前の開き戸装置８で用いられ、改修作業後の引戸装置２０では不用となる戸当たり部材１１が取り外されているため、改修作業後の枠組み体２を引戸装置２０に適したものとすることができる。
【００５９】
また、枠組み体２のそれぞれの枠部材３〜６に形成されていて、改修作業前の開き戸装置８の開き戸本体９が閉じたときに収納される段欠部３Ａ〜６Ａは、改修用引戸装置２０が壁１に取り付けられて改修作業が終了したときには、枠補助部材１３〜１６が枠部材３〜６に取り付けられることによりなくなっており、枠部材３〜６の凹凸面部は平坦面部になっている。このため、改修作業後の枠組み体２の形状を、引戸装置２０の出入口用開口部７を形成するに適した形状にすることができる。
【００６０】
次ぎ、本発明のそれぞれの別実施形態について説明する。
【００６１】
図１１は、引戸装置２０のガイドレールについての別実施形態である。この実施形態におけるガイドレール６０は、アンカー部材６１で壁１に結合されているとともに、ガイドレール６０はカバー２４の上端まで延び、その先端６０Ａは直角に屈曲している。そして、この先端６０Ａにカバー２４がビス等の止着具５２で着脱自在に取り付けられている。すなわち、この実施形態のガイドレール６０は、図８で示したブラケット５１を兼ねるものとなっている。
【００６２】
なお、図１１の実施形態において、ガイドレール６０を図８の取付部材２６と同じ部材又はこれと類似の部材等を用いて壁１に結合するようにしてもよい。
【００６３】
図１２は、改修作業前から用いられている枠組み体の形状、及びこの枠組み体と引戸装置２０のガイドレール２５との関係に関する別実施形態である。
【００６４】
改修作業前から用いられている枠組み体６５を形成していたそれぞれの枠部材（図１１では上枠部材６６と下枠部材６７だけが示されている）には、枠組み体６５の厚さ方向両端部において、段欠部６６Ａ，６６Ｂ，６７Ａ，６７Ｂが形成されており、枠組み体補助部材である枠補助部材６８，６９は枠部材６６，６７と同じ幅寸法を有し、段欠部６６Ａ，６６Ｂ，６７Ａ，６７Ｂが枠補助部材６８，６９で覆われることにより、開口部７の外周部を形成している枠組み体６５の内側面部は平坦面部となっている。
【００６５】
また、引戸装置２０のガイドレール２５は、上枠部材６６にビス等の止着具７０で結合されている。すなわち、この実施形態では、枠組み体６５はガイドレール２５を取り付けるための取付部材として改修作業後に使用され、それだけ枠組み体６５の有効活用が図られている。
【００６６】
図１３は、引戸装置２０の引戸本体についての別実施形態を示す。この実施形態における引戸本体７０の閉じ側端部及び開き側端部には、枠組み体２側へ延びた目隠し部７１Ａを有する戸端部材７１が取り付けられている。この戸端部材７１により、枠組み体２と、開口部７を閉じたときの引戸本体２９との間の隙間が少なくなり、戸端部材７１は、この隙間を少なくするための隙間対策部材となっている。
【００６７】
この実施形態によると、引戸本体７０が開口部７を閉じたとき、これらの間の隙間は戸端部材７１の目隠し部７１Ａで小さくなるため、引戸装置２０で仕切られる建物内の２つの空間の一方から他方を斜めに覗いても見ることはできず、これらの空間の視覚的遮断性を確保できる。
【００６８】
この実施形態は、引戸本体閉じ側の縦枠部材７２が、開口部７を閉じたときの引戸本体の閉じ側端部が侵入する図７の縦枠部材２２の段欠部２２Ａと同じような部分を有していない場合、あるいは縦枠部材７２自体が存在しない場合に、特に有効である。なお、戸端部材７１の目隠し部７１Ａを弾性変形自在とし、この目隠し部７１Ａを枠組み体２に接触する長さとしてもよい。
【００６９】
図１４は、枠組み体２に目隠し部材７５を取り付けた実施形態を示す。すなわち、枠組み体２を形成している左右の側枠部材５，６に、引戸装置２０の引戸本体２１側へ延びる突片７５Ａを有する目隠し部材７５をビス等の止着具７６で取り付けている。これにより、引戸本体２１が開口部７を閉じたとき、それぞれの目隠し部材７５の突片７５Ａは引戸本体２１の側面に接触し、引戸本体２１で仕切られる２つの建物内空間の視覚的遮断性が確保される。
【００７０】
言い換えると、この実施形態によると、引戸本体２１が開口部７から枠組み体２の厚さ方向にずれて配置されたために必然的に生ずる枠組み体２と引戸本体２１との間の隙間は、隙間対策部材である目隠し部材７５でなくなることになり、この目隠し部材７５の取り付けは、改修作業後も残される枠組み体２を利用して行える。
【００７１】
それぞれの目隠し部材７５は側枠部材５，６の全高に亘る長さを有するとともに、これらの目隠し部材７５は、止着具７６で枠組み体２に固定される硬質樹脂製の基部７５Ｂに、軟質樹脂製で弾性変形可能な突片７５Ａを一体化することにより形成されている。
【００７２】
以上において、引戸装置で仕切られる建物内の２つの空間の一方から他方を斜めに覗いても見ることができないようにする視覚的遮断性は、引戸本体の幅寸法をこの引戸本体で開閉される開口部の幅寸法よりも充分に大きくすることにより確保してもよい。
【００７３】
図１５及び図１６は、引戸装置２０の引戸本体が開口部７を閉じたときの気密性を向上させた実施形態を示し、図１５は図８と同様の図であって、図１６は図７と同様の図である。
【００７４】
この実施形態では、図１６に示すように、引戸本体閉じ側の縦枠部材８０には、開口部７を閉じたときの引戸本体８１の閉じ側端部が侵入する大きな凹部８０Ａが形成され、この凹部８０Ａに、内部に袋部８２Ａを有する弾力的な気密部材８２が取り付けられ、この気密部材８２に引戸本体８１の閉じ側端部が包持されるように弾性当接することにより、開口部７を閉じたときの引戸本体８１の閉じ側端部の気密性が確保される。
【００７５】
図１５に示すように、枠組み体２の上枠部材３にはこの上枠部材３の全長に亘る上モヘヤ部材８３が、また、図１６に示すように、枠組み体２の側枠部材６にはこの側枠部材６の全高に亘る長さの側モヘヤ部材８４がそれぞれビス等の止着具８５で取り付けられ、これらのモヘヤ部材８３と８４により、開口部７を閉じたときの引戸本体８１の上部と開き側端部との気密性が確保される。そして、これらのモヘヤ部材８３，８４は、枠組み体２と、開口部７を閉じたときに引戸本体２１との間の隙間をなくすための隙間対策部材になっている。図１６では、側モヘヤ部材８４が接触する相手部材８６が引戸本体２１の側面に取り付けられている。
【００７６】
図１５に示すように、引戸本体８１の下端には弾性材料からなる昇降部材８７が配置され、引戸本体８１の左右方向全長に亘る長さを有するこの昇降部材８７は、ボタン部８８Ａを有する昇降装置８８で作動し、引戸本体８１が開口部７を開いているときには前方へ突出しているボタン部８８Ａが、引戸本体８１の閉じ側端部が図１６のように縦枠部材８０に当接したときに押されて後退し、これにより、昇降部材８７が昇降装置８８によって下降するようになっている。このため、引戸本体８１の閉じ側端部が縦枠部材８０に当接してボタン部８８Ａが後退すると、昇降装置８８で昇降部材８７は下降し、この下降で昇降部材８７が床３３に弾性接触することにより、引戸本体８１の下部の気密性が確保される。
【００７７】
図１７〜図１９は、これまでの実施形態と異なり、改修用引戸装置で開閉されることになる開口部を形成する枠組み体がコンクリート製の壁に設けられているのではなく、この開口部が、支柱９０と、横架部材９１と、これらの支柱９０と横架部材９１で囲まれる区域に配置されたパネル９２とで形成されている簡易固定式の間仕切り壁９３に設けられた場合における実施形態である。図１８は、図１７のＳ１８−Ｓ１８線断面図で、図１９は、図１７のＳ１９−Ｓ１９線断面図である。
【００７８】
そして、この実施形態は、以下の３つの場合について適用できる。第１番目の場合は、改修作業前において、間仕切り壁９３の支柱９０と横架部材９１とで囲まれた全部の区域にパネル９２が配置され、したがって、全部の区域が遮断部材であるパネル９２で遮断され、これらの区域のうちの１個又は複数個の区域から改修作業中にパネル９２を取り外して開口部とする場合である。第２番目の場合は、改修作業前において、間仕切り壁９３の支柱９０と横架部材９１とで囲まれた全部の区域うち、１個又は複数個の区域にパネル９２が配置されておらず、これにより間仕切り壁９３に常時開口していた１個又は複数個の開口部が形成されていた場合である。第３番目の場合は、改修作業前において、間仕切り壁９３の支柱９０と横架部材９１とで囲まれた全部の区域のうち、１個又は複数個の区域に引戸装置とは別種類である開き戸装置等の開閉装置で開閉される開口部が形成されていた場合である。
【００７９】
なお、これら３つの場合のうち、前述した図１〜図１６の実施形態は第３番目に相当する場合であったが、図１〜図１６の実施形態は、第１番目と第２番目に相当する場合にも適用できる。
【００８０】
図１７〜図１９は第２番目の場合であり、このため、間仕切り壁９３には改修作業前から常時開口していた出入口用の開口部９４が設けられており、この開口部９４の外周に間仕切り壁９３の骨組み材として配置されている支柱９０と横架部材９１とにより、開口部９４の枠組み体９５が形成されている。
【００８１】
図１９に示すように、改修用引戸装置２０のガイドレール６０は、引戸本体９６の上部の間仕切り壁９３に、この壁９３の内部に改修作業後に組み込まれているチャンネル材製の補強部材９７によって取り付けられている。この補強部材９７へのガイドレール６０の取り付け作業は、次ぎのように行われている。
【００８２】
改修作業を行うときに、先ず、改修作業前から存在する表裏２枚のパネル９２のうちの引戸本体９６とは反対側の一方のパネル９２を横架部材９１の取り外しで間仕切り壁９３から取り外し、この後、補強部材９７を間仕切り壁９３の内部に組み入れ、補強部材９７を支柱９０に結合したブラケット９８にビス等の止着具９９で取り付ける。そして、ガイドレール６０を他方のパネル９２を貫通するボルト、ナットによる止着具１００で補強部材９７に結合するとともに、横架部材９１をもとの位置に組み付け直し、この横架部材９１にも補強部材９７をビス等の止着具１０１で結合する。そして、取り外しておいたパネル９２をもとの位置に組み込む作業を行う。
【００８３】
図１８に示すように、この実施形態では、引戸本体９６の閉じ側端部に設けられている戸端部材１０２に、引戸本体９６が開口部９４を閉じたときに枠組み体９５の支柱９０に弾性接触する目隠し部１０２Ａが設けられている。
【００８４】
図２０は、簡易固定式の間仕切り壁に設けるガイドレール取り付け用補強部材の別実施形態を示す。この実施形態では、支柱１０３と横架部材１０４とパネル１０５とにより簡易固定式の間仕切り壁１０６が形成され、改修作業前のパネル１０５の内部全体には、間仕切り壁１０６に耐火性能、防火性能を付与するための耐火性ペーパー部材１０７が収納されていた。改修用引戸装置２０のガイドレール６０を間仕切り壁１０６に取り付けるときには、横架部材１０４の取り外しでパネル１０５から一部のペーパー部材１０７を取り除き、その箇所に木製の補強部材１０８を組み入れ、そして横架部材１０４をもとの位置に組み付け直す。
この後、補強部材１０８まで達する長さのビス等の止着具１０９を間仕切り壁１０６に打ち込むことにより、ガイドレール６０を間仕切り壁１０６に取り付ける。
【００８５】
この実施形態で示すように、引戸装置のガイドレールを簡易固定式の間仕切り壁に取り付けるためにこの間仕切り壁に設ける補強部材の形状、材質等な任意である。
【００８６】
なお、図２０の実施形態において、全部のペーパー部材１０７を取り除き、その部分に補強部材１０８を組み入れてもよい。
【００８７】
以上の図１７〜図２０の実施形態で説明したように、引戸本体が上吊り式となっている引戸装置のガイドレールを取り付ける壁が、強度がそれ程大きくない簡易式の間仕切り壁である場合には、この間仕切り壁に補強部材を設けることによって改修用引戸装置のガイドレールに取り付けを行える。
【００８８】
【発明の効果】
本発明によると、開閉装置のための改修作業を容易に行えるようになるという効果を得られる。
【図面の簡単な説明】
【図１】コンクリート製の壁に設置されていた改修作業前の開き戸装置の全体及びこの壁を示す正面図である。
【図２】図１のＳ２−Ｓ２線断面図である。
【図３】図１のＳ３−Ｓ３線断面図である。
【図４】改修作業中の状態を示す図２に対応する図である。
【図５】改修作業中の状態を示す図３に対応する図である。
【図６】改修用引戸装置が取り付けられた後を示すその引戸装置の全体及び壁を示す正面図である。
【図７】図６のＳ７−Ｓ７線断面図である。
【図８】図６のＳ８−Ｓ８線断面図である。
【図９】引戸装置の引戸本体を移動させるための移動機構を示す正面図で、引戸本体が閉じ限位置に達しているときを示す図である。
【図１０】引戸本体が開き限位置に達しているときを示す正面図である。
【図１１】改修用引戸装置のガイドレールの別実施形態を示す図８と同様の図である。
【図１２】改修作業前から用いられている枠組み体の形状、及びこの枠組み体と引戸装置のガイドレールとの関係に関する別実施形態を示す
【図１３】引戸装置の引戸本体の端部に目隠し部付きの戸端部材を取り付けた実施形態を示す図７と同様の図である。
【図１４】開口部の外周部を形成する枠組み体に隙間対策部材である目隠し部材を取り付けた実施形態を示す図７と同様の図である。
【図１５】引戸装置の引戸本体が開口部を閉じたときの気密性を向上させた実施形態を示す図８と同様の図である。
【図１６】図１５の実施形態を示す図７と同様の図である。
【図１７】枠組み体が設けられている壁が簡易固定式間仕切り壁に設けられている実施形態を示し、改修用引戸装置が取り付けられた後を示す正面図である。
【図１８】図１７のＳ１８−Ｓ１８線断面図である。
【図１９】図１８のＳ１９−Ｓ１９線断面図である。
【図２０】簡易固定式間仕切り壁に引戸装置のガイドレールを取り付けるためにこの間仕切り壁に設ける補強部材の別実施形態を示す図１９と同様の図である。
【符号の説明】
１  壁
２，６５，９５  枠組み体
３，６６  上枠部材
３Ａ〜６Ａ，６６Ａ，６６Ｂ，６７Ａ，６７Ｂ  凹凸部を形成する段欠部
４，６７  下枠部材
５，６  側枠部材
７，９４  開口部
８  改修作業前の開き戸装置
９  開き戸本体
１３〜１６，６８，６９  凹凸部を平坦部とするための枠組み体補助部材である枠補助部材
２０  改修用引戸装置
２１，７０，８１，９６  引戸本体
２５，６０  ガイド部材であるガイドレール
７１  隙間対策部材である戸端部材
７５  隙間対策部材である目隠し部材
８３，８４  隙間対策部材であるモヘヤ部材
９３，１０６  簡易固定式の間仕切り壁
９７、１０８  ガイドレール取り付け用の補強部材
【図１】
0004578666.tif 000002
【図２】
0004578666.tif 000003
【図３】
0004578666.tif 000004
【図４】
0004578666.tif 000005
【図５】
0004578666.tif 000006
【図６】
0004578666.tif 000007
【図７】
0004578666.tif 000008
【図８】
0004578666.tif 000009
【図９】
0004578666.tif 000010
【図１０】
0004578666.tif 000011
【図１１】
0004578666.tif 000012
【図１２】
0004578666.tif 000013
【図１３】
0004578666.tif 000014
【図１４】
0004578666.tif 000015
【図１５】
0004578666.tif 000016
【図１６】
0004578666.tif 000017
【図１７】
0004578666.tif 000018
【図１８】
0004578666.tif 000019
【図１９】
0004578666.tif 000020
【図２０】
0004578666.tif 000021